(57)【要約】【課題】捕獲した夾雑物を水面より上に上げることなく分離し、水流に乗せて本流の下流側に運搬し、除塵機能を回復させることのできる除塵スクリーンを提供する。【解決手段】夾雑物を含む流れに面して、昇降可能なレーキを備えたスクリーンを配置する。スクリーンに夾雑物が溜まって通水能力が低下した場合、レーキを降下させてスクリーンの夾雑物を掻き下げ、スクリーン下部に導く。レーキを下端まで降下させると、分岐水路の左右に設けた円弧状ガイド部とレーキで夾雑物の周りに円弧状断面の水流を導くガイド部の空間が形成される。したがって、円弧状ガイド部の一端から本流の水流が流れ込み、夾雑物はその水流に乗って水路の本流に押し流される。レーキを再び引き上げると除塵機能が回復する。【選択図】図１
2012052369.tif 000002
【特許請求の範囲】
【請求項１】
分岐水路内にスクリーン本体と、スクリーンが捕獲した夾雑物を掻き下ろす昇降可能な円弧状レーキと、該レーキの駆動機構を備え、分岐水路の分岐部の両側の水路壁下部に円弧状レーキが掻き下ろした夾雑物に水流を導くための縦割り円弧状ガイド部を設けるとともに、この縦割り円弧状ガイド部と降下した円弧状レーキとが連通するよう構成したことを特徴とする除塵用スクリーン。
【請求項２】
前記スクリーン本体の水路に対する角度が、その下端において水平方向に屈曲しており、円弧状レーキも軸棒の先端に首振り可能に取り付けられていて、円弧状レーキが降下し終わったときに、縦割り円弧状ガイド部と同じ縦割り円弧状になるよう構成されていることを特徴とする請求項１に記載の除塵用スクリーン。
【請求項３】
前記縦割り円弧状ガイド部が、少なくとも分岐水路の分岐部の上流側の水路壁において、分岐部から離れる方向に漏斗状に拡がるよう構成されていることをも特徴とする請求項１に記載の除塵用スクリーン。
【発明の詳細な説明】
【技術分野】
【０００１】
本発明は、河川や水路から取水する場合の取水口に設置する除塵用スクリーンに係り、特に、夾雑物を水面より上に上げることなく水中でスクリーンから分離し、分離した夾雑物を水流に載せて本流の下流側に搬送し、スクリーンとしての機能を速やかに回復させることができるようにしたものである。
【背景技術】
【０００２】
従来の除塵装置は、例えば特開平８−１１３９３０号公報（特許文献１参照）で示されているように、スクリーンで捕獲した夾雑物をレーキで掻揚げて、ベルトコンベア等により別な場所に移動、集積し、産業廃棄物として処理していた。
【０００３】
従来のレーキ掻揚げ式の場合、以下の点が課題となる。
ａ）夾雑物は、水面より上に揚げた時点から産業廃棄物として取り扱われるのが一般的であり、再び水中に戻すことができなくなる。
ｂ）そのため夾雑物の掻揚げ装置の他に、ベルトコンベア等の掻揚げた夾雑物を移動、集積、管理するための周辺設備が必要となる。
ｃ）夾雑物は濡れたまま空中を移動して集積場所でしばらく仮置きされるため、景観が損なわれたり、悪臭が発生しやすい。
ｄ）集積された夾雑物に対しては、管理や産業廃棄物としての処理が必要となり、人的、経済的負担が大きい。
【０００４】
そこで本発明者は、特許第３８９４２２７号公報（特許文献２参照）において、分岐水路内にスクリーン本体と、スクリーンが捕獲した夾雑物を掻き下ろす昇降可能なレーキと、該レーキの駆動機構を備え、さらにレーキが掻き下ろした夾雑物をストックできる細長い空間部をスクリーンの下部に備えるとともに、その細長い空間部の一端に開閉装置付きの吐口とそれに接続する水路外部に通じる管路を備えていることを特徴とするトンネル型ジェット水流スクリーンを提案した。
【先行技術文献】
【特許文献】
【０００５】
【特許文献１】特開平８−１１３９３０号公報
【特許文献２】特許第３８９４２２７号公報
【発明の開示】
【発明が解決しようとする課題】
【０００６】
しかしながら、分岐水路入口に前記除塵用スクリーンを設置して、本流の下流側に夾雑物を搬送する場合、本流と分岐水路との間に水位差が存在しないため、トンネルを形成してもトンネル内に水流を起こすことができない。
【０００７】
そこで本発明は、分岐水路入口に設置してスクリーンに捕獲した夾雑物を本流の下流側に搬送できる除塵用スクリーンを提供しようとするものである。
【課題を解決するための手段】
【０００８】
本発明の除塵用スクリーンは、分岐水路内にスクリーン本体と、スクリーンが捕獲した夾雑物を掻き下ろす昇降可能な円弧状レーキと、該レーキの駆動機構を備え、分岐水路の分岐部の両側の水路壁下部に円弧状レーキが掻き下ろした夾雑物に水流を導くための縦割り円弧状ガイド部を設けるとともに、この縦割り円弧状ガイド部と降下した円弧状レーキとが連通するよう構成したことを特徴とするものである。
【０００９】
本発明の除塵用スクリーンは、前記スクリーン本体の水路に対する角度が、その下端において水平方向に屈曲しており、円弧状レーキも軸棒の先端に首振り可能に取り付けられていて、円弧状レーキが降下し終わったときに、縦割り円弧状ガイド部と同じ縦割り円弧状になるよう構成されていることをも特徴とするものである。
【００１０】
本発明の除塵用スクリーンは、前記縦割り円弧状ガイド部が、少なくとも分岐水路の分岐部の上流側の水路壁において、分岐部から離れる方向に漏斗状に拡がるよう構成されていることをも特徴とするものである。
【発明の効果】
【００１１】
この発明によれば、分岐水路の入口に設置することができ、しかも夾雑物を水面より上に揚げることなく水中でスクリーンから分離、排除することにより、夾雑物は産業廃棄物としての扱いは受けず、本流の下流側に流すことができる除塵用スクリーンを提供することができる。したがって、産業廃棄物としての管理や処理は不要となる。
【００１２】
除塵システム全体が簡素化し、設備費、維持費ともに縮減でき、安全性が高い。
【図面の簡単な説明】
【００１３】
【図１】本発明の除塵用スクリーンの１実施例の要部の概略を示す斜視図である。
【図２】その概略正面図である。
【発明を実施するための形態】
【００１４】
以下に、本発明の除塵用スクリーンの実施の形態について、図面を参照して詳述する。
図１は、本発明の除塵用スクリーンの１実施例の要部の概略を示す斜視図、図２はその概略正面図である。
【００１５】
図１および図２に示す実施例の除塵用スクリーン１０は、河川や人工の水路などの水路１１の適所に設けた分岐水路１２内にスクリーン本体２１と、スクリーン本体２１が捕獲した夾雑物２２を掻き下ろす昇降可能な円弧状レーキ２３と、レーキ駆動用モータ２４とを備えている。
【００１６】
また前記分岐水路１２の分岐部の両側の水路壁１３の下部には、円弧状レーキ２３が掻き下ろした夾雑物２２に水流を導くための縦割り円弧状ガイド部１４が設けてある。そして該左右の円弧状ガイド部１４は導入部分では浅く、かつ円弧状レーキ２３との連通部分においてはほぼ円弧状レーキ２３と同じ深さに形成されている。
したがって、この縦割り円弧状ガイド部１４と降下した円弧状レーキ２３とはスムーズに連通するよう構成されている。
【００１７】
本実施例の除塵用スクリーン１０は、前記スクリーン本体２１の分岐水路１２に対する角度が、その下端において水平方向に屈曲しており、前記円弧状レーキ２３もレーキ駆動用モータ２４に接続した軸棒２５の先端に首振り可能に取り付けられている。
このようにすると前記円弧状レーキ２３は、降下し終わったときに縦割り円弧状ガイド部１４と同じ縦割り円弧状のガイド部となり、段差や境界のないスムーズな除塵用の水流が導かれるとともに、本流を流下する夾雑物がレーキを直衝するのを防ぎ、レーキの破損を防止することができる。
【００１８】
本実施例の除塵用スクリーン１０は、前記スクリーン本体２１が除塵作業をしているときは、円弧状レーキ２３は分岐水路１２の水面よりも上に揚げておく。（ステップ１）
【００１９】
次いでスクリーン本体２１から夾雑物２２を取り除く場合、円弧状レーキ２３をスクリーン本体２１に沿って水中に降下させ、円弧状レーキ２３を円弧状ガイド部１４の端部に合致するまで押下げて水流を導く円弧状のガイド部を形成させる。（ステップ２）
【００２０】
円弧状レーキ２３を降ろした状態では、前記円弧状のガイド部に開放されている他端から水流が円弧状のガイド部の空間に流れ込み、除塵用の水流となって夾雑物を本流の下流側に押し流す。（ステップ３）
【００２１】
そうした後、分岐水路１２の水面よりも上の最初の位置に円弧状レーキ２３をセットし、再び除塵を開始する。（ステップ１）
以上のプロセスを繰り返すことにより、除塵用スクリーン１０の除塵機能は維持される。
【００２２】
以上の各実施例においては、昇降するレーキおよび水路壁の下部に設けたガイドをそれぞれ円弧状として記述しているが、水流を導く構造になるのであれば、何ら円弧状に限定されるものではない。
【産業上の利用可能性】
【００２３】
この発明の除塵用スクリーンによれば、Ｔ字型の分岐水路のみならず、Ｌ字型やＹ字型その他の多様な水路にも利用することができる。
【符号の説明】
【００２４】
１０  除塵用スクリーン
１１  水路
１２  分岐水路
１３  水路壁
１４  円弧状ガイド部
２１  スクリーン本体
２２  夾雑物
２３  円弧状レーキ
２４  レーキ駆動用モータ
２５  軸棒
【図１】
2012052369.tif 000003
【図２】
2012052369.tif 000004